(57)【要約】      （修正有）【課題】装飾、祈願、観賞に用いる八卦ランタン型装飾品を提供する。【解決手段】八卦ランタン型装飾品は、主に玉石または関連材料で八卦ランタン型の構造に、中国結びまたはその他装飾物を組み合わせる。装飾及び携帯の利便性のため孔部又は凹溝を有する。【選択図】図４
0003162833.tif 000002
【実用新案登録請求の範囲】
【請求項１】
使用者が健康、平安、幸福を含む幸運を祈願することができる八卦ランタン型装飾品であって、八卦の外枠の形状を呈し、上面として設置された八角面と、前記八角面から下に向かって形成され、八面長方体から構成されたボディ部を含むことを特徴とする、八卦ランタン型装飾品。
【請求項２】
八卦の外枠の形状を呈し、上面として設置された八角面と、前記八角面から下に向かって形成され、八面長方体から構成されたボディ部を含み、そのうち、上面の八角面上または底面、或いは八面長方体に八卦図を形成することができることを特徴とする、請求項１に記載の八卦ランタン型装飾品。
【請求項３】
八卦の外枠の形状を呈し、上面として設置された八角面と、前記八角面から下に向かって形成され、八面長方体から構成されたボディ部を含み、そのうち、装飾及び携帯の利便性のため八卦ランタン型装飾品上に孔を開けて孔部を形成したことを特徴とする、請求項１に記載の八卦ランタン型装飾品。
【請求項４】
八卦の外枠の形状を呈し、上面として設置された八角面と、前記八角面から下に向かって形成され、八面長方体から構成されたボディ部を含み、そのうち、八卦ランタン型装飾品上に孔を開けて孔部を形成する方式が、凹溝の形態としただけでも実施可能であることを特徴とする、請求項１に記載の八卦ランタン型装飾品。
【請求項５】
八卦の外枠の形状を呈し、上面として設置された八角面と、前記八角面から下に向かって形成され、八面長方体から構成されたボディ部を含み、そのうち、前記八角面を弧状に突出した流線形の弧状球面として設けたことを特徴とする、請求項１に記載の八卦ランタン型装飾品。
【請求項６】
八卦の外枠の形状を呈し、上面として設置された八角面と、前記八角面から下に向かって形成され、八面長方体から構成されたボディ部を含み、そのうち、形成された八卦ランタン型装飾品の外部に装飾物を追加することができ、前記装飾物に中国結びまたは紐、或いはブローチ（ピン付）を用いたことを特徴とする、請求項１に記載の八卦ランタン型装飾品。
【請求項７】
八卦の外枠の形状を呈し、上面として設置された八角面と、前記八角面から下に向かって形成され、八面長方体から構成されたボディ部を含み、そのうち、前記ボディ部の下端が前記八角面の外径より小さいことを特徴とする、請求項１に記載の八卦ランタン型装飾品。
【考案の詳細な説明】
【技術分野】
【０００１】
本考案は、装飾、祈願、観賞に用いる八卦ランタン型装飾品に関する。
【背景技術】
【０００２】
従来の伝統的な祈願用装飾品は金魚など縁起のよい各種動物のものが多くあり、このような製品は市場においてすでに長年販売されており、過去多くの大衆に好まれていたが、現在は態様に新しさがないため流行しなくなっており、購入する人も多くない。また、現代人は仕事が忙しく、競争が激しいため、スタート地点から遅れをとるまいと何事においてもスピードにこだわっており、精神的なストレスが大きく、体にもさまざまな病や痛みなどを引き起こしている。医師の診察を受ける以外に、神通力の保護を求める人も多く、これは一般に寺や廟で祈る多くの人々によって証明されており、自分のことや子供のことなどについて人々は祈願している。一般の寺や廟では多くが祈願者にビニール製の袋または布製の袋に御守を入れたものを授け、祈願者はそれを身に着ける。このような製品は長年使用されているが、こういった御守袋は形式が単調で新しさに欠けるという欠点があり、また雨水に濡れてはならないが、使用者がうっかりすると容易に湿気に晒されて内部が色褪せてしまったり、さらには塊状になってしまったりして祈願の意味が失われてしまうため、多くの人が一定期間身につけた後、神棚や引き出しに入れてしまい、携帯しなくなって本来の祈願の意義が失われてしまう。従来の伝統的な御守袋や祈願用の装飾品の欠点をいかに排除するかが本考案の考案者が解決を図る技術的問題点であり、上述の欠点を解決するため、本考案の考案者は各種製品を収集して各種欠点を分類、研究、分析し、新たな構想の製品を考案し、且つ度重なる模擬実験と無数の失敗の蓄積による相当の経験を経てこの八卦ランタン型装飾品を開発したものである。玉石から形成した八卦ランタン形の構造で、八卦図に美しい中国結びの飾りを組み合わせ、美しいラインの優雅な視覚的享受を提供することができ、従来の製品に代替し、雨水を恐れることがなく、また一般の装飾品店で販売することもでき、全体の構造が優美であるため、非常に魅力的であり、祈願をする人の身、心、魂すべてに有益で、信心を生み、闘志を高め、向上に努めて願望と目的を達成することをサポートする。
【考案の概要】
【考案が解決しようとする課題】
【０００３】
本考案の目的は、装飾、祈願、観賞に用いる八卦ランタン型装飾品を提供することにある。
【課題を解決するための手段】
【０００４】
本考案の八卦ランタン型装飾品は、玉石または関連材料で八卦ランタン型の構造を作成し、中国結びまたは装飾物を組み合わせ、八卦ランタン型装飾品の新たな形態を生み出し、人に新しいスタイルと視覚的享受を与える。全体が精巧な構造であり、流れるようなラインを持つ外観が優美かつ精緻で、人の目を引く魅力的なデザインである。大人も子供も好んで携帯でき、祈願をする人の身、心、魂すべてに有益で、信心を生み、闘志を高め、向上に努めて願望と目的を達成することをサポートする優良な製品である。
【図面の簡単な説明】
【０００５】
【図１】本考案の装飾品の立体図である。
【図２】本考案の装飾品に弧球面を形成した状態を示す正面図である。
【図３】本考案の装飾品の外観図である。
【図４】本考案の装飾品の実施例を示す立体図である。
【図５】本考案の装飾品に装飾物を縛り付けた実施例を示す立体図である。
【図６】本考案の装飾品のボディ部を円柱体に形成した実施例を示す立体図である。
【図７】本考案の装飾品に凹溝を形成した実施例を示す立体図である。
【考案を実施するための形態】
【０００６】
まずすべての図に示すように、本考案の八卦ランタン型装飾品は、装飾、祈願、観賞に用いるものである。 
【０００７】
その実施時、本考案の八卦ランタン型装飾品１は玉石または関連材料から作成され、火や湿気に対する耐性を持ち、上面として設けた八卦の外枠の形状を呈する八角面２と、前記八角面２から下に向かって形成した八面長方体３から構成されたボディ部４(図１、図２、図３参照)を含み、且つ八面長方体３の両側辺がいずれも八角面２の角に揃い、そのボディ部４の下端は八角面２の外径より小さく設けることができる。そのうち、八卦ランタン型装飾品１はその上面の八角面２上または底面、或いは八面長方体３に刻印、貼付、または印刷で八卦図５を形成して法力を増し、また、装飾及び携帯上の利便性のため八卦ランタン型装飾品１上に孔を開けて孔部６を形成し(図２、図４参照)、孔部６の位置は直立したボディ部４の中央またはその他適切な部位に使用者の好みに合わせて設けることができるが、本考案はボディ部４中央が好ましいものとする。そのうち、より人々の注意を引き、携行を促すため、八卦ランタン型装飾品１に装飾物７を縛り付けたり（図４、図５参照)、孔部６上に穿設したりすることができ、装飾物７は中国結びまたは紐、或いはブローチ（ピン付）等の装飾物としてもよく、八卦ランタン型装飾品１の美観をより向上すると同時に、外出時の携行や壁に掛けたりするときにより便利且つ美しくすることができる。八卦ランタン型装飾品１上に形成した八卦図５は、大法師または高僧等の徳の高いまたは法力の高い人によって念を加えてもらい、法力を高めてもよい。また、八角面２を弧状に突出した流線形の弧状球面８として設けると、全体が八卦ランタン型ロケット飾りの態様を成し(図２、図３参照)、本考案の流線形の柔らかな美しさをより表現することができる。
【０００８】
また、八卦ランタン型装飾品１はその八面長方体３から構成されたボディ部４を円柱体９に設けることもでき、使用者のニーズに応じて創作物の多様性を達することができる(図６参照)。さらに、八卦ランタン型装飾品１上に孔を開けて孔部６を形成する方式を凹溝１０の形態とし、吊り下げ用の物品を埋め込んで実施することもできる(図７参照)。
【０００９】
このように形成した八卦ランタン型装飾品１は(図４参照)、八卦の形態を採用しており、八卦は主に中国人の観念の中で吉を呼び込み災いをはらう作用があるとされており、使用者の身、心、魂に健康、平安、幸福を含む幸運をもたらすと考えられているため、使用者に吉祥をもたらし、使用者の気持ちを高め、意識せずとも意志力が向上され、自然に物事がうまく運び、失敗することなく円滑に願望が達成されるように、使用者が祈願後に携帯したり、適所に吊り下げたりすることができる。八卦ランタン型装飾品１の全体構造は詳細な設計を経ており、まず八卦が伝統的に中国人の心において吉を呼び込み災いをはらう作用があることを考慮し、さらに玉石等の材料にも同様の増進効果があることを考慮して設計されている。玉石と八卦によって希望を表しており、その内外全体が新しい構造であり、流れるようなラインを持つ精緻な外観が優美かつ優雅で、人の目を引く魅力的なデザインである。大人も子供も好んで携帯でき、祈願をする人に信心を生み、その闘志を高め、向上に努めて願望と目的を達成できるようサポートする。
【００１０】
また、本考案の実施時は付加価値を高めるため、各人の東四命・西四命に基づき、一坎、二坤、三震、四巽、六乾、七兌、八艮、九離等の宮位の吉方位を知ることができ、五宮に入ると出たとき男性は二坤宮に寄宮し、女性は八艮宮に寄宮し、また四吉星位の意味で、例えば生気方:求財、求学、求子、出世；延年方:婚姻早得、夫妻和睦、延年益寿、身体健康；天医方:疾病治癒、貴人相互扶助、伏位方:風調雨順、国泰民安等の吉方位を知ることができ、使用者の生辰八字を取得して算出し(コンピュータ)、例えば１９７０年生まれの女性は三震命で、その生気方は離卦(南方)であるため、コンピュータで関連の生気方位と意味をプリントした後、南方吉方位及び八卦ランタン型装飾品１の南方吉方位で祈願をしてから身に着けると願望を達成できると考えられる。このように八卦ランタン型装飾品の構造形態を新たにしただけでなく、一般的な御守及び装飾品の使用意義を高め、且つ使用者に信心をもたらし、願望達成の運気を上げることができる。また八卦ランタン型装飾品はその新たな形態による視覚的享受も提供し、より多くの人が身に付けられるようにすることで、伝統的な御守及び装飾品の単調で新しい構造上のアイデアに欠けるという問題を解決した、優良な製品である。
【００１１】
上述をまとめると、本考案は先行技術をすでに超越しており、効果を増進することができ、且つ当業者が出願前の先行技術に基づいて容易に完成できるものではなく、新規性と進歩性、産業的利用価値を備えており、実用新案登録出願の要件を満たしているため、法に基づき実用新案登録を出願するものである。
【００１２】
以上の説明は本考案の最良の実施例に基づいており、本考案の特許範囲を限定せず、このため本考案の明細書及び図面の内容を運用した同等効果の構造を直接的または間接的にその他関連技術分野に運用したものはすべて本考案の要旨の範囲内に含まれる。
【符号の説明】
【００１３】
１        八卦ランタン型装飾品
２        八角面
３        八面長方体
４        ボディ部
５        八卦図
６        孔部
７        装飾物
８        弧球面
９        円柱体
１０      凹溝
【図１】
0003162833.tif 000003
【図２】
0003162833.tif 000004
【図３】
0003162833.tif 000005
【図４】
0003162833.tif 000006
【図５】
0003162833.tif 000007
【図６】
0003162833.tif 000008
【図７】
0003162833.tif 000009